【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
遊技用価値を用いて１ゲームに対して所定数の賭数を設定することにより複数の可変表示部の変動表示を開始させることが可能となり、前記可変表示部を変動表示した後、各可変表示部の変動表示を停止することで表示結果が導出されることによって複数の可変表示部の変動表示が終了し、所定の入賞ライン上に導出された複数の可変表示部の表示結果の組合せに応じて入賞が発生可能であるスロットマシンであって、
前記可変表示部に表示結果が導出されるより前に、遊技者にとって有利な特別遊技状態への移行を伴う複数種類の特別表示結果と、前記遊技用価値を用いることなく次のゲームを行なうことが可能な再ゲーム表示結果とを含む複数種類の入賞表示結果各々の導出を許容するか否かを決定する事前決定手段と、
遊技者が表示結果を導出させるために操作する導出操作手段と、
前記事前決定手段の決定結果および前記導出操作手段への操作に応じて前記可変表示部に表示結果を導出する制御を行なう導出制御手段と、
前記複数種類の特別表示結果のうちいずれかの導出を許容する旨が決定されており、該特別表示結果が導出されなかったときに該決定を次ゲーム以降に持ち越す持越手段と、
前記複数種類の特別表示結果のうちいずれかの導出を許容する旨が決定されていることを条件として、所定の告知情報を報知する報知手段と、
前記複数種類の特別表示結果のいずれかを構成する識別情報が前記入賞ラインに聴牌したときに所定の聴牌報知制御を行なう聴牌報知手段とを備え、
前記聴牌報知手段は、
前記告知情報が報知された後において、導出が許容されている種類の特別表示結果が前記入賞ラインに聴牌したときに、該導出が許容されている種類以外の特別表示結果が前記入賞ラインに聴牌したときと異なる聴牌報知制御を行ない、
前記告知情報が報知された後、前記再ゲーム表示結果の導出を許容する旨が決定されたゲームにおいて、導出が許容されている種類の特別表示結果が前記入賞ラインに聴牌したときに、前記再ゲーム表示結果の導出を許容する旨が決定されていないときと異なる聴牌報知制御を行ない、
前記導出制御手段は、前記複数種類の特別表示結果のうちいずれかの導出を許容する旨の決定の持越中に、前記再ゲーム表示結果の導出を許容する旨が決定されたときに、該特別表示結果を導出させずに該再ゲーム表示結果を導出させ、
前記スロットマシンは、前記告知情報を報知してから前記特別表示結果が導出されるまでのゲームのうち、前記再ゲーム表示結果の導出を許容する旨が決定されているゲームにおいては、前記特別表示結果が導出されないゲームである旨を示唆することを特徴とする、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を複数備え、遊技用価値を用いて１ゲームに対して所定数の賭数を設定することにより複数の可変表示部の変動表示を開始させることが可能となり、前記可変表示部を変動表示した後、各可変表示部の変動表示を停止することで表示結果が導出されることによって複数の可変表示部の変動表示が終了し、所定の入賞ライン上に導出された複数の可変表示部の表示結果の組合せに応じて入賞が発生可能であるスロットマシンに関する。
【手続補正３】
【補正対象書類名】明細書
【補正対象項目名】００１１
【補正方法】変更
【補正の内容】
【００１１】
（１）  各々が識別可能な複数種類の識別情報を変動表示可能な可変表示部を複数備え、
遊技用価値を用いて１ゲームに対して所定数の賭数を設定することにより複数の可変表示部の変動表示を開始させることが可能となり、前記可変表示部を変動表示した後、各可変表示部の変動表示を停止することで表示結果が導出されることによって複数の可変表示部の変動表示が終了し、所定の入賞ライン上に導出された複数の可変表示部の表示結果の組合せに応じて入賞が発生可能であるスロットマシンであって、
前記可変表示部に表示結果が導出されるより前に、遊技者にとって有利な特別遊技状態への移行を伴う複数種類の特別表示結果と、前記遊技用価値を用いることなく次のゲームを行なうことが可能な再ゲーム表示結果とを含む複数種類の入賞表示結果各々の導出を許容するか否かを決定する事前決定手段と、
遊技者が表示結果を導出させるために操作する導出操作手段と、
前記事前決定手段の決定結果および前記導出操作手段への操作に応じて前記可変表示部に表示結果を導出する制御を行なう導出制御手段と、
前記複数種類の特別表示結果のうちいずれかの導出を許容する旨が決定されており、該特別表示結果が導出されなかったときに該決定を次ゲーム以降に持ち越す持越手段と、
前記複数種類の特別表示結果のうちいずれかの導出を許容する旨が決定されていることを条件として、所定の告知情報を報知する報知手段と、
前記複数種類の特別表示結果のいずれかを構成する識別情報が前記入賞ラインに聴牌したときに所定の聴牌報知制御を行なう聴牌報知手段とを備え、
前記聴牌報知手段は、
前記告知情報が報知された後において、導出が許容されている種類の特別表示結果が前記入賞ラインに聴牌したときに、該導出が許容されている種類以外の特別表示結果が前記入賞ラインに聴牌したときと異なる聴牌報知制御を行ない、
前記告知情報が報知された後、前記再ゲーム表示結果の導出を許容する旨が決定されたゲームにおいて、導出が許容されている種類の特別表示結果が前記入賞ラインに聴牌したときに、前記再ゲーム表示結果の導出を許容する旨が決定されていないときと異なる聴牌報知制御を行ない、
前記導出制御手段は、前記複数種類の特別表示結果のうちいずれかの導出を許容する旨の決定の持越中に、前記再ゲーム表示結果の導出を許容する旨が決定されたときに、該特別表示結果を導出させずに該再ゲーム表示結果を導出させ、
前記スロットマシンは、前記告知情報を報知してから前記特別表示結果が導出されるまでのゲームのうち、前記再ゲーム表示結果の導出を許容する旨が決定されているゲームにおいては、前記特別表示結果が導出されないゲームである旨を示唆する。
なお、以下の構成を備えるものでもよい。
遊技用価値を用いて１ゲームに対して所定数の賭数（３、ただしレギュラーボーナス中は１）を設定することによりゲームを開始させることが可能となり、複数種類の識別情報を変動表示させる可変表示領域を複数有する可変表示装置に表示結果が導出されることにより１ゲームが終了し、該可変表示装置における所定の入賞ライン上に導出された識別情報の組合せに応じて入賞が発生可能であるスロットマシン（スロットマシン１）であって、
前記可変表示装置に表示結果が導出されるより前に、遊技者にとって有利な特別遊技状態への移行を伴う複数種類の特別表示結果（ビッグボーナス（１）〜（３）、レギュラーボーナス）を含む複数種類の入賞表示結果各々の導出を許容するか否かを決定する事前決定手段（抽選処理）と、
前記事前決定手段の決定結果および前記識別情報の変動表示を停止させるための遊技者の操作（ストップスイッチ８Ｌ，８Ｃ，８Ｒへの操作）に応じて前記可変表示装置の表示結果を導出する制御を行なう導出制御手段（リール回転処理）と、
前記複数種類の特別表示結果のうちいずれかの導出を許容する旨が決定されており、該特別表示結果が導出されなかったときに該決定を次ゲーム以降に持ち越す持越手段（特別ワーク）と、
前記複数種類の特別表示結果のうちいずれかの導出を許容する旨が決定されていることを条件として、所定の告知情報（ボーナス確定演出）を報知する報知手段（遊技演出実行処理）と、
前記複数種類の特別表示結果のいずれかを構成する識別情報が前記入賞ラインに聴牌したとき（前記複数の可変表示領域のうち一の可変表示領域（最終停止されるリール）を除く他の可変表示領域（２つのリール）に前記複数種類の特別表示結果のうちいずれかの一部を構成する表示結果が導出されて、ボーナスが聴牌したとき）に所定の聴牌報知制御（所定のテンパイ音を出音する制御等）を行なう聴牌報知手段（遊技演出実行処理、サブ制御部９１、音声出力回路９４）とを備え、
前記聴牌報知手段は、前記告知情報が報知された後において、導出が許容されている種類の特別表示結果が前記入賞ラインに聴牌したとき（当選しているボーナスがテンパイ）に、該導出が許容されている種類以外の特別表示結果が前記入賞ラインに聴牌したとき（当選していないボーナスがテンパイ）と異なる聴牌報知制御を行なう（図１６〜図１９参照、当選ボーナスのテンパイ音を変化させるパターン、非当選ボーナスのテンパイ音を変化させるパターン等）。